Podtech/llm-jp-corpus-v4-ja_patent huggingface dataset:
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
装置であって、
長手方向軸および中を通るシャフト管腔を画定するカテーテルシャフトと、
前記シャフト管腔の遠位端から延在するスプラインのセットであって、前記スプラインのセットの各スプラインが、そのスプラインの表面に形成された電極のセットを含む、スプラインのセットと、
前記スプラインのセットの各スプラインの遠位部分に結合した遠位キャップと、を備え、前記スプラインのセットが、前記長手方向軸に沿って並進して、第１の構成と第２の構成との間で移行するように構成され、前記第１の構成において、各スプラインが、実質的に、前記カテーテルシャフトの前記長手方向軸を含む平面にあり、前記第２の構成において、各スプラインが、前記遠位キャップに面した第１の凹部と、前記長手方向軸に面した第２の凹部と、前記シャフト管腔の前記遠位端に面した第３の凹部と、を有するループを形成する、装置。
【請求項２】
前記第２の構成において、それぞれのスプラインは変形された螺旋形状を有する、請求項１に記載の装置。
【請求項３】
前記スプラインのセットの各スプラインが、約５度未満の非ゼロ螺旋角度を有する、請求項２に記載の装置。
【請求項４】
前記第２の構成にある前記スプラインのセットが、重なり合っていないループのセットとして配列される、請求項１に記載の装置。
【請求項５】
前記第２の構成にある前記スプラインのセットが、電気的に絶縁されたループのセットとして配列される、請求項１に記載の装置。
【請求項６】
前記第２の構成にある前記スプラインのセットが、スプラインの長さに沿って変動する曲率半径を含む、請求項１に記載の装置。
【請求項７】
前記第２の構成にある前記スプラインのセットの各スプラインが、最大で約３０ｍｍ、前記長手方向軸から離れて付勢される、請求項１に記載の装置。
【請求項８】
前記第２の構成にある前記スプラインのセットが、約１０ｍｍ〜約５０ｍｍの直径を有する、請求項１に記載の装置。
【請求項９】
前記第２の構成にある前記スプラインのセットが、組織壁に当接するように構成され、前記スプラインのうちの少なくとも２つにある前記電極のセットが、前記組織壁に対して電界線の強度および接線成分で構成される電界を発生させるように構成され、前記接線成分が、前記少なくとも２つのスプライン間の前記組織壁の大部分において前記強度の半分を超える、請求項１から８のいずれか一項に記載の装置。
【請求項１０】
前記スプラインのセットおよび前記遠位キャップが、前記長手方向軸に沿って最大で約６０ｍｍ一緒に並進するように構成されている、請求項１から９のいずれか一項に記載の装置。
【請求項１１】
前記スプラインのセットの前記遠位部分の各々が、前記遠位キャップに固定されている、請求項１から１０のいずれか一項に記載の装置。
【請求項１２】
前記第２の構成にある前記スプラインのセットの各スプラインが、楕円断面を含む、請求項１から１１のいずれか一項に記載の装置。
【請求項１３】
前記楕円断面が、約１ｍｍ〜約２．５ｍｍの長軸長、および約０．４ｍｍ〜約１．２ｍｍの短軸長を含む、請求項１２に記載の装置。
【請求項１４】
前記スプラインのセットが、３個のスプライン〜２０個のスプラインを含む、請求項１から１３のいずれか一項に記載の装置。
【請求項１５】
前記スプラインのセットの各スプラインが、約０．２ｍｍ２〜約１５ｍｍ２の断面積を有する、請求項１から１４のいずれか一項に記載の装置。
【請求項１６】
前記スプラインのセットの各スプラインが、その中にスプライン管腔を画定し、
前記スプラインのセット中の各スプラインのための前記電極のセットに絶縁導線が関連付けられ、前記絶縁導線が、前記スプラインのセットの各スプラインの前記スプライン管腔内に配設され、
前記絶縁導線は、その対応する絶縁が絶縁破壊することなく少なくとも約７００Ｖの電位を維持するように構成されている、請求項１から１５のいずれか一項に記載の装置。
【請求項１７】
前記電極のセットの各電極が、約０．５ｍｍ２〜約２０ｍｍ２の表面積を有する、請求項１から１６のいずれか一項に記載の装置。
【請求項１８】
前記スプラインのセットの第１のスプラインの電極の第１のセットが、アノードとして構成され、前記スプラインのセットの第２のスプラインの電極の第２のセットが、カソードとして構成される、請求項１から１７のいずれか一項に記載の装置。
【請求項１９】
前記第１のスプラインが、前記第２のスプラインに隣接していない、請求項１８に記載の装置。
【請求項２０】
前記電極の第１のセットが、１個の電極を含み、前記電極の第２のセットが、少なくとも２個の電極を含む、請求項１８に記載の装置。
【請求項２１】
前記第１の構成において、前記遠位キャップは前記カテーテルシャフトの遠位端に第１の距離で結合し、前記第２の構成において、前記遠位キャップは前記カテーテルシャフトの前記遠位端に第２の距離で結合し、前記第１の距離と前記第２の距離との割合が、約５：１〜約２５：１である、請求項１に記載の装置。
【請求項２２】
前記第２の構成において、前記スプラインのセットの各スプラインの少なくとも一部分が、約７ｍｍ〜約２５ｍｍの曲率半径を有する、請求項１に記載の装置。
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
ＬＰＳ及びＬＴＡのリストから選択される細菌毒素を生体液から除去するための方法であって、前記生体液を、ＫＫＩＲＶＲＬＳＡ、ＲＲＩＲＶＲＬＳＡ、ＫＲＩＲＶＲＬＳＡ及びＲＫＩＲＶＲＬＳＡのリストから選択されるペプチドであって、場合によりリンカーの介在を伴って、そのＣ末端を介して固体支持体に共有結合されたペプチドと接触させることを含み、前記リンカーの介在を伴うことにより、リンカー−ペプチド部分を形成し、前記ペプチドの全てのアミノ酸がＬ型又はＤ型のいずれかである、方法。
【請求項２】
前記ペプチド−リンカー部分が以下の式
【化４】
2020517329.tif 000001
（式中、
Ｒ１−、Ｒ２−、Ｒ３−、Ｒ４−、Ｒ５−、Ｒ６−、Ｒ７−及びＲ８−は同じもの又は異なるものであり得、ＫＫＩＲＶＲＬＳＡ−、ＲＲＩＲＶＲＬＳＡ−、ＫＲＩＲＶＲＬＳＡ−及びＲＫＩＲＶＲＬＳＡ−から選択され；
Ｘ１、Ｘ２、Ｘ３、Ｘ４、Ｘ５、Ｘ６及びＸ７は同じもの又は異なるものであり、少なくとも二官能性残基であり；
ｎ、ｍ、ｐ、ｑ、ｔ、ｖ及びｗは同じもの又は異なるものであり得、ゼロ又は１であり得、ｍ、ｎ、ｐ及びｑの少なくとも１つは１であり、ただし、ｔがゼロである場合、ｎ及びｍはゼロであり、ｐ及びｑの少なくとも１つは１であり、ｖがゼロである場合、ｐ及びｑはゼロであり、ｍ及びｎの少なくとも１つは１であり、ｗがゼロである場合、ｖはゼロであり、ｍ及びｎの少なくとも１つは１であり；
Ｙは、結合又はスペーサーである）のラジカルである、請求項１に記載の方法。
【請求項３】
Ｘ１、Ｘ２、Ｘ３、Ｘ４、Ｘ５、Ｘ６及びＸ７が同じもの又は異なるものであり、少なくとも２つの官能性アミノ基をそれぞれ含む、請求項２に記載の方法。
【請求項４】
Ｘ１、Ｘ２、Ｘ３、Ｘ４、Ｘ５、Ｘ６及びＸ７が同じもの又は異なるものであり、リジン残基、オルニチン残基、ノルリジン残基、アミノアラニン残基及びジアミノプロピオン酸残基から選択される、請求項３に記載の方法。
【請求項５】
Ｒ１−、Ｒ２−、Ｒ３−、Ｒ４−、Ｒ５−、Ｒ６−、Ｒ７−及びＲ８−の少なくとも１つがＫＫＩＲＶＲＬＳＡ−である、請求項２〜４に記載の方法。
【請求項６】
Ｙがアミノ酸残基又はペプチドである、請求項２〜５に記載の方法。
【請求項７】
Ｙが、β−アラニン残基、Ｎ−（ＰＥＧ）ｙ−ＣＨ２−ＣＨ２−Ｃ（Ｏ）−残基（１≦ｙ≦１１）、システイン残基及びこのような残基を含むペプチドのリストから選択される、請求項６に記載の方法。
【請求項８】
ｗがゼロであり、ｖがゼロであり、ｔが１であり、ｍが１であり、ｎが１である、請求項２〜７に記載の方法。
【請求項９】
Ｘ１、Ｘ２及びＸ５がそれぞれリジン残基である、請求項８に記載の方法。
【請求項１０】
Ｒ１−、Ｒ２−、Ｒ３−及びＲ４−の少なくとも１つがＫＫＩＲＶＲＬＳＡ−である、請求項８又は９に記載の方法。
【請求項１１】
前記固体支持体が、架橋アガロース樹脂及び架橋ヒドロキシエチルポリスチレンとポリエチレングリコールとの複合樹脂のリストから選択される、請求項１〜１０に記載の方法。
【請求項１２】
固体支持体であって、場合によりリンカーの介在を伴って、ＫＫＩＲＶＲＬＳＡ、ＲＲＩＲＶＲＬＳＡ、ＫＲＩＲＶＲＬＳＡ及びＲＫＩＲＶＲＬＳＡのリストから選択されるペプチドのＣ末端に共有結合され、それにより、ペプチド−リンカー部分が形成される、固体支持体。
【請求項１３】
前記ペプチド−リンカー部分が請求項２〜１１で定義されるとおりである、請求項１２に記載の固体支持体。
【請求項１４】
ＬＰＳ及びＬＴＡのリストから選択される細菌毒素を生体液から除去するための、請求項１２又は１３に記載の固体支持体を含む、医療器具。
【請求項１５】
ＬＰＳ及びＬＴＡから選択される細菌毒素を生体液から除去するための、請求項１２又は１３に記載の固体支持体を含む医療器具の使用。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
ユーザーの神経呼吸ドライブ量を抽出する方法において、前記方法は、
ＥＭＧ信号を得るステップ、
処理されたＥＭＧ信号を生成するために前記ＥＭＧ信号を処理するステップ、
サロゲート呼吸信号を生成するために前記ＥＭＧ信号を処理するステップ、
前記サロゲート呼吸信号に基づいて、前記ユーザーの吸入を検出するステップ、及び
前記検出された吸入及び前記処理されたＥＭＧ信号に基づいて、神経呼吸ドライブ量を決定するステップ
を有し、前記サロゲート呼吸信号は、前記ＥＭＧ信号からのみ得られる、方法。
【請求項２】
前記サロゲート呼吸信号を生成するために前記ＥＭＧ信号を処理するステップは、前記ＥＭＧ信号にスパイク除去を行うステップを有する、請求項１に記載の方法。
【請求項３】
前記サロゲート呼吸信号を生成するために前記ＥＭＧ信号を処理するステップは、前記ＥＭＧ信号に第１のハイパスフィルターを適用するステップを有する、請求項１又は２に記載の方法。
【請求項４】
前記第１のハイパスフィルターは、１５０Ｈｚよりも大きい又は１５０Ｈｚに等しい、例えば２００Ｈｚのカットオフ周波数を持つ、請求項３に記載の方法。
【請求項５】
前記サロゲート呼吸信号を生成するために前記ＥＭＧ信号を処理するステップは、前記ＥＭＧ信号に包絡線検波を行うステップを有し、前記包絡線検波は、
第２のＥＭＧ信号を生成するために前記ＥＭＧ信号に整流演算子を適用するステップ、及び
前記第２のＥＭＧ信号にローパスフィルターを適用するステップ
を有する、請求項１乃至４の何れか一項に記載の方法。
【請求項６】
前記第２のＥＭＧ信号は、前記ＥＭＧ信号のエネルギーのような量を有する、請求項５に記載の方法。
【請求項７】
前記ＥＭＧ信号のエネルギーのような量は、ティーガーカイザーエネルギー及び従来のエネルギーの少なくとも一方を有する、請求項６に記載の方法。
【請求項８】
前記整流演算子は、絶対値演算子及び二乗演算子の少なくとも一方を有する、請求項５に記載の方法。
【請求項９】
前記サロゲート呼吸信号を生成するために前記ＥＭＧ信号を処理するステップは、前記ＥＭＧ信号をダウンサンプリングするステップを有する、請求項１乃至８の何れか一項に記載の方法。
【請求項１０】
前記サロゲート呼吸信号を生成するために前記ＥＭＧ信号を処理するステップは、前記ＥＭＧ信号にメディアンフィルターを適用するステップを有する、請求項１乃至９の何れか一項に記載の方法。
【請求項１１】
前記サロゲート呼吸信号を生成するために前記ＥＭＧ信号を処理するステップは、前記ＥＭＧ信号に第２のハイパスフィルターを適用するステップを有する、請求項１乃至１０の何れか一項に記載の方法。
【請求項１２】
前記方法はさらに、前記神経呼吸ドライブ量に基づいて、前記ユーザーの神経呼吸ドライブを計算するステップを有する、請求項１乃至１１の何れか一項に記載の方法。
【請求項１３】
コンピュータプログラムがコンピューター上で実行されるとき、請求項１乃至１２の何れか一項に記載の方法を実施するように構成されるプログラムコード手段を有するコンピュータプログラム。
【請求項１４】
ＥＭＧ測定システムにおいてユーザーの神経呼吸ドライブ量を決定するための制御器であり、前記制御器は、
ＥＭＧ信号を得る、
処理されたＥＭＧ信号を生成するために前記ＥＭＧ信号を処理する、
サロゲート呼吸信号を生成するために前記ＥＭＧ信号を処理する、
前記サロゲート呼吸信号に基づいて、前記ユーザーの吸入を検出する、及び
前記検出された吸入及び前記処理されたＥＭＧ信号に基づいて、神経呼吸ドライブ量を決定する
ように構成され、前記サロゲート呼吸信号は、前記ＥＭＧ信号からのみ生成される、制御器。
【請求項１５】
前記ＥＭＧ信号を測定するように構成されるＥＭＧ電極、及び
請求項１４に記載の制御器
を有する吸入検出システム。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
妊娠した雌の生体試料中における胎児のヘテロ接合性の欠如（ＬＯＨ）の有無をゲノムワイドで決定するための方法であって、前記試料が母体および胎児の両方のセルフリーＤＮＡを含み、前記方法が、
ａ）前記生体試料から母体および胎児のＤＮＡを得るステップ、
ｂ）前記ＤＮＡと、１つまたは複数の標識されたＲＮＡプローブまたはＤＮＡプローブとを接触させるステップと、それによって前記プローブの前記母体または胎児のＤＮＡへのハイブリダイゼーションを可能にし、
ｃ）前記ハイブリダイズしたＤＮＡ：プローブを捕捉するステップと、
ｄ）捕捉された前記ＤＮＡのシークエンシングを実施するステップと、それによってリードが得られ、
ｅ）前記リードを参照ゲノムにマッピングするステップと、
ｆ）オンターゲットリードとオフターゲットリードとを分離するステップと、
ｇ）前記オフターゲットリードを参照セットに基づいて正規化するステップと、
ｈ）オフターゲットリードカウントを得るステップと、
前記オフターゲットリードカウントを胎児のＬＯＨの有無の決定のために使用するステップと
を含む方法。
【請求項２】
ディープシークエンシングを実施する、請求項１に記載の方法。
【請求項３】
オフターゲットリードカウントの最少量がｌ×１０６である、請求項１または２に記載の方法。
【請求項４】
前記プローブが予め規定された標的を対象とすることを特徴とする、請求項１〜３のいずれか１項に記載の方法。
【請求項５】
前記プローブが前記ＤＮＡまたは領域の繰り返し領域を対象とすることを特徴とする、請求項４に記載の方法。
【請求項６】
前記プローブが無作為標的を対象とすることを特徴とする、前記請求項１〜５のいずれか１項に記載の方法。
【請求項７】
前記オンターゲットリードがさらなる分析のために排除されることを特徴とする、請求項１に記載の方法。
【請求項８】
前記得られたオフターゲットの正規化が参照セットを考慮して行われ、参照セットとの比較によりスコアが得られる、請求項１〜７のいずれか１項に記載の方法。
【請求項９】
１つまたは複数のパラメータが前記オンターゲットリードから得られ、それによって胎児画分の決定がさらに可能になる、請求項１または２に記載の方法。
【手続補正２】
【補正対象書類名】明細書
【補正対象項目名】０１０４
【補正方法】変更
【補正の内容】
【０１０４】
好ましくは、前述の操作は、様々なコンピュータ実施操作によって試料の分子分析を可能にするデジタルプラットフォームの一部である。
出願時の特許請求の範囲は以下の通りである。
［請求項１］
妊娠した雌から得られた生体試料中における胎児の染色体異数性および／またはヘテロ接合性の欠如（ＬＯＨ）の有無を決定するための方法であって、
−  母体および胎児の核酸の両方を含む生体試料のターゲットキャプチャー超並列シークエンシングの指標となる配列情報を得るステップと、
−  前記ターゲットキャプチャー超並列シークエンシングから得られたオフターゲットリードの量を決定するステップと、
−  前記異数性またはＬＯＨの有無を決定するための情報を前記オフターゲットリードカウント情報から得るステップと
を含む方法。
［請求項２］
妊娠した雌の生体試料中における胎児異数性および／またはヘテロ接合性の欠如（ＬＯＨ）の有無を決定するための方法であって、前記試料が母体および胎児の両方のセルフリーＤＮＡを含み、前記方法が、
ａ）前記生体試料から母体および胎児のＤＮＡを得るステップ、
ｂ）前記ＤＮＡと、１つまたは複数の標識されたＲＮＡプローブまたはＤＮＡプローブとを接触させるステップと、それによって前記プローブの前記母体または胎児のＤＮＡへのハイブリダイゼーションを可能にし、
ｃ）前記ハイブリダイズしたＤＮＡ：プローブを捕捉するステップと、
ｄ）捕捉された前記ＤＮＡのシークエンシングを実施するステップと、それによってリードが得られ、
ｅ）前記リードを参照ゲノムにマッピングするステップと、
ｆ）オンターゲットリードとオフターゲットリードとを分離するステップと、
ｇ）オフターゲットリードカウントを得るステップと、
前記オフターゲットリードカウントを胎児異数性またはＬＯＨの有無の決定のために使用するステップと
を含む方法。
［請求項３］
ディープシークエンシングを実施する、請求項１または２に記載の方法。
［請求項４］
オフターゲットリードカウントの最少量がｌ×１０６である、請求項１〜３のいずれか１項に記載の方法。
［請求項５］
前記プローブが予め規定された標的を対象とすることを特徴とする、請求項１〜４のいずれか１項に記載の方法。
［請求項６］
前記プローブが前記ＤＮＡまたは領域の繰り返し領域を対象とすることを特徴とする、請求項５に記載の方法。
［請求項７］
前記プローブが、反復性ＣＮＶまたは前記反復性ＣＮＶに隣接する領域を含有することが知られている１つまたは複数の領域を対象とすることを特徴とする、請求項５に記載の方法。
［請求項８］
前記プローブが１×１０３〜１０×１０６塩基対の間の配列長を有するＣＮＶ標的を対象とすることを特徴とする、請求項５に記載の方法。
［請求項９］
前記プローブが無作為標的を対象とすることを特徴とする、前記請求項１〜４のいずれか１項に記載の方法。
［請求項１０］
前記オンターゲットリードがさらなる分析のために排除されることを特徴とする、請求項１〜９のいずれか１項に記載の方法。
［請求項１１］
前記得られたオフターゲットが参照セットに基づいて正規化されることを特徴とする、請求項１〜１０のいずれか１項に記載の方法。
［請求項１２］
１つまたは複数のパラメータが前記オンターゲットリードから得られ、それによって胎児画分の決定および／または微少欠失の有無の検出が可能になる、請求項１または２に記載の方法。
［請求項１３］
対象から得られた生体試料中におけるヘテロ接合性の欠如事象の存在を検出するための方法であって、前記試料が核酸を含み、前記方法が、
−  前記試料から得られたＤＮＡのターゲットキャプチャー超並列シークエンシングから配列情報を得るステップと、
−  前記ターゲットキャプチャー超並列シークエンシングから得られたオフターゲットリードの量を決定するステップと、
−  前記ＬＯＨの有無を決定するための情報を前記オフターゲットリードカウントから得るステップと
を含む方法。
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
式（Ｉ）によって表されるＤ−Ｒ（式中、Ｄが、少なくとも１つの第一級若しくは第二級アミン又はアザヘテロアリール環の環窒素原子を含む生物学的活性部分であり；
Ｒが、生物学的活性部分Ｄの放出に好適なリンカーであり：
【化１】
2020517623.tif 000001
ここで、破線が、前記第一級アミン、第二級アミン、又はアザヘテロアリール環の環窒素原子への結合を示し；
Ｒ１が、水素又はＣ１〜Ｃ４アルキルであり；
Ｒ１ａが、水素又はＣ１〜Ｃ４アルキルであるか、又はＣＲ１Ｒ１ａが、組み合わされて、Ｃ３〜Ｃ６シクロアルカ−１，１−ジイルを形成し；
Ｒ２が、独立して、それぞれ、Ｃ１〜Ｃ４アルキル又はオキソから選択され、又は２つのＲ２基が、それらが結合される炭素原子と組み合わされて、縮合Ｃ３〜Ｃ６シクロアルキル又はスピロＣ３〜Ｃ６シクロアルカ−１，１−ジイル基を形成し；
ａが、０、１、２、３又は４であり；
Ｒ３が、水素又はＣ１〜Ｃ４アルキルであり；
Ｒ３ａが、水素、Ｃ１〜Ｃ４アルキルであるか、又はＣＲ３Ｒ３ａが、組み合わされて、Ｃ３〜Ｃ６シクロアルカ−１，１−ジイルを形成し；
Ｙが、Ｃ（Ｏ）Ｒ４、Ｃ（Ｏ）ＯＲ４、Ｃ（Ｏ）ＮＨＲ４、Ｃ（Ｏ）ＮＲ５Ｒ６、ＳｉＲ５Ｒ６Ｒ７、又はＣＲ１２Ｒ１２ａＯＲ１３であり；
Ｒ１２が、水素又はＣ１〜Ｃ４アルキルであり；
Ｒ１２ａが、水素又はＣ１〜Ｃ４アルキルであるか、又はＣＲ１２Ｒ１２ａが、組み合わされて、Ｃ３〜Ｃ６シクロアルカ−１，１−ジイルを形成し；
Ｒ１３が、Ｃ１〜Ｃ４アルキルであるか；又は
Ｒ１２及びＲ１３が、Ｃ（Ｒ１２ａ）及びＯと組み合わされて、５、６、又は７員環状エーテルを形成し；
Ｒ４が、Ｃ１〜Ｃ８アルキル又はＣ３〜Ｃ７シクロアルキルであり、ここで、シクロアルキルが、０、１、又は２つの独立して選択されるＣ１〜Ｃ４アルキル基で任意選択的に置換され、アルキルが、Ｃ１〜Ｃ４アルコキシで任意選択的に置換され；
Ｒ５及びＲ６がそれぞれ、独立して、Ｃ１〜Ｃ４アルキル及びＣ３〜Ｃ６シクロアルキルから選択され；
Ｒ７が、Ｃ１〜Ｃ８アルキル、Ｃ３〜Ｃ７シクロアルキル、Ｃ１〜Ｃ８アルコキシ、Ｃ３〜Ｃ７シクロアルキルオキシ、ヘテロシクロアルキルオキシ、又は−（ＯＣＨＲ３ＣＨ２）ｂＯ−Ｃ１〜Ｃ４アルキルであり、ここで、前記ヘテロシクロアルキルオキシが、Ｎ、Ｏ、及びＳから選択される１つの環ヘテロ原子を有し、且つ０、１、又は２つの独立して選択されるＣ１〜Ｃ４アルキル基で任意選択的に置換される４〜７員飽和複素環であり；
ｂが、１〜１０の整数であり；
Ｚが、ＣＨ−Ｌ−Ａ、ＣＨ−Ａ、Ｎ−Ｌ−Ａ、又はＮ−Ａであり；
Ｌが、任意選択的に置換される二価リンカーであり；
Ａが、水素、Ｃ１〜Ｃ８アルキル、Ｃ（Ｏ）Ｃ１〜Ｃ８アルキル、Ｃ（Ｏ）Ｎ（Ｈ）Ｃ１〜Ｃ８アルキル、Ｃ（Ｏ）ＯＣ１〜Ｃ８アルキル、Ｒ１０、又はＲ１１であり、ここで、前記アルキル基が、０又は１つのＲ１０で任意選択的に置換され；
Ｒ１０が、式（Ｉ）を担体に結合するのに好適な反応性官能基であり；
Ｒ１１が担体である）
を含む薬物送達システム又はその薬学的に許容できる塩。
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
喘息の治療における使用のためのＫＬＫ５アンタゴニストであって、ＳＰＩＮＫ  Ｆｃ融合ポリペプチドである、ＫＬＫ５アンタゴニスト。
【請求項２】
ＫＬＫ５の活性を阻害する、ＳＰＩＮＫ  Ｆｃ融合ポリペプチド。
【請求項３】
前記ＳＰＩＮＫ  Ｆｃ融合ポリペプチドが、ＳＰＩＮＫ５またはＳＰＩＮＫ９からの１つ以上のドメインを含む、請求項２に記載のＳＰＩＮＫ  Ｆｃ融合ポリペプチド。
【請求項４】
ＳＰＩＮＫ５からの前記１つ以上のドメインが、配列番号１５、１７、２０及び２２からなる群から選択される配列を含む、請求項３に記載のＳＰＩＮＫ  Ｆｃ融合ポリペプチド。
【請求項５】
ＳＰＩＮＫ９からの前記１つ以上のドメインが、配列番号２８の配列を含む、請求項３に記載のＳＰＩＮＫ  Ｆｃ融合ポリペプチド。
【請求項６】
前記１つ以上のドメインが、マウスまたはヒト由来である、請求項３〜５のいずれか１項に記載のＳＰＩＮＫ  Ｆｃ融合ポリペプチド。
【請求項７】
ＫＬＫ５を少なくとも約５０％阻害する、請求項３〜６のいずれか１項に記載のＳＰＩＮＫ  Ｆｃ融合ポリペプチド。
【請求項８】
薬学的に活性な量の請求項２〜７のいずれか１項に記載のＳＰＩＮＫ  Ｆｃ融合ポリペプチドと、薬学的に許容される担体と、を含む、薬学的製剤。
【請求項９】
ＫＬＫ５と関連する疾患の治療における使用のためのＳＰＩＮＫ  Ｆｃ融合ポリペプチドであって、前記疾患が喘息である、請求項２〜７のいずれか１項に記載のＳＰＩＮＫ  Ｆｃ融合ポリペプチド。
【請求項１０】
ネザートン症候群の治療における使用のためのＫＬＫ５アンタゴニストであって、二重特異性抗体である、ＫＬＫ５アンタゴニスト。
【請求項１１】
ＫＬＫ５のセリンプロテアーゼ活性を阻害する、請求項１０に記載のＫＬＫ５アンタゴニスト。
【請求項１２】
ＫＬＫ５の活性部位に結合することによってＫＬＫ５を阻害する、請求項１１に記載のＫＬＫ５アンタゴニスト。
【請求項１３】
前記ＫＬＫ５アンタゴニストが、完全長のプロセシングされていないＫＬＫ５の１０８、１４７、１５０、１５３、１６８、及び２４５位のアミノ酸残基からなる群から選択されるＫＬＫ５のアミノ酸残基のうちの１つ以上を含む結合領域に結合することによってＫＬＫ５を阻害する、請求項１１に記載のＫＬＫ５アンタゴニスト。
【請求項１４】
前記二重特異性抗体が、ヒト抗体、ヒト化抗体、またはキメラ抗体である、請求項１０に記載のＫＬＫ５アンタゴニスト。
【請求項１５】
前記二重特異性抗体が、完全長ＩｇＧ１抗体である、請求項１４に記載のＫＬＫ５アンタゴニスト。
【請求項１６】
前記二重特異性抗体が、ＫＬＫ５及びＫＬＫ７に結合する、請求項１０〜１５のいずれか１項に記載のＫＬＫ５アンタゴニスト。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
対象における水疱性類天疱瘡または後天性表皮水疱症を治療または予防するための薬剤であって、
前記薬剤が、
（i）配列番号２のアミノ酸１９〜１６８の配列と少なくとも９０％の配列同一性を有する配列を含むタンパク質、
（ii）配列番号２のアミノ酸１９〜１６８の配列と少なくとも９０％の配列同一性を有するアミノ酸配列を有するタンパク質の断片
であるタンパク質か、またはそれをコードする核酸分子であり、
前記タンパク質または断片が、Ｃ５と結合して、コンバターゼによる補体Ｃ５の補体Ｃ５ａおよび補体Ｃ５ｂへの開裂を防止し、かつ、ＬＴＢ４を阻害するものである、前記薬剤。
【請求項２】
薬剤が、配列番号２のアミノ酸１９〜１６８の配列と少なくとも９５％の配列同一性を有する配列を含むタンパク質であるか、またはそれをコードする、請求項１に記載の薬剤。
【請求項３】
薬剤が、配列番号２のアミノ酸１９〜１６８の配列を含むか、またはそれからなるタンパク質であるか、またはそれをコードする、請求項１または２に記載の薬剤。
【請求項４】
薬剤が、最大で１０のアミノ酸置換、挿入または欠失がなされた、配列番号２のアミノ酸１９〜１６８の配列を含むタンパク質であるか、またはそれをコードする、
請求項１に記載の薬剤。
【請求項５】
薬剤が、皮下投与されるものである、請求項１〜４のいずれかに記載の薬剤。
【請求項６】
対象が、ヒトである、請求項１〜５のいずれかに記載の薬剤。
【請求項７】
薬剤が、対象において可能な限り多くの利用可能なＣ５および／またはＬＴＢ４と結合するために十分な用量で、任意選択により、全ての利用可能なＣ５と結合するために十分な用量で投与される、請求項１〜６のいずれかに記載の薬剤。
【請求項８】
薬剤が、対象において全ての利用可能なＣ５および／またはＬＴＢ４と結合するために必要なモル用量の１．５倍の用量で投与される、請求項１〜７のいずれかに記載の薬剤。
【請求項９】
薬剤が、対象に当該薬剤の初回負荷用量で投与され、次にその維持用量で投与される、請求項１〜８のいずれかに記載の薬剤。
【請求項１０】
初回維持用量および１または２以上のさらなる維持用量がある、請求項９に記載の薬剤。
【請求項１１】
薬剤が、第２のＡＩＢＤ治療とともに投与される、請求項１〜１０のいずれかに記載の薬剤。
【請求項１２】
第２のＡＩＢＤ治療が、全身コルチコステロイド療法、局所コルチコステロイド療法、免疫抑制療法および免疫抑制生物学的療法から選択され、
任意選択により、コルチコステロイドが、プレドニゾンおよびプレドニゾロンから選択され、免疫抑制療法が、メチルプレドニゾロン、ミコフェノレート、アザチオプリン、ダプソンおよびシクロホスファミドから選択され、免疫抑制生物学的療法が、リツキシマブおよび静脈内免疫グロブリンＧ（ＩＶＩＧ）から選択される、請求項１１に記載の薬剤。
【請求項１３】
水疱性類天疱瘡を治療するための薬剤である、請求項１〜１２のいずれかに記載の薬剤。
【請求項１４】
薬剤が、（ａ）配列番号２のアミノ酸１９〜１６８の配列と少なくとも９０％の配列同一性を有する配列、および（ｂ）第２の配列を含む融合タンパク質である、
請求項１〜１３のいずれかに記載の薬剤。
【請求項１５】
前記第２の配列が、ＰＡＳ配列であり、任意選択により
前記融合タンパク質が、（ａ）配列番号１５の３０コピーからなるＰＡＳ配列および（ｂ）（ｉ）配列番号２のアミノ酸１９〜１６８を含み、（ａ）が、（ｂ）のＮ末端と融合されている、請求項１４に記載の薬剤。
【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
１以上の治療用オリゴヌクレオチド、尿素、および乳酸を含む、医薬組成物。
【請求項２】
増粘剤をさらに含む、請求項１に記載の医薬組成物。
【請求項３】
増粘剤が、メチルセルロース（ＭＣ）またはヒドロキシプロピルセルロース（ＨＰＣ）である、請求項２に記載の医薬組成物。
【請求項４】
ゲルにおいて製剤化される、請求項１〜３のいずれか一項に記載の医薬組成物。
【請求項５】
尿素が、約５％と約４０％ｗ／ｗの間の量において存在する、請求項１〜４のいずれか一項に記載の医薬組成物。
【請求項６】
乳酸が、約２％と約１０％ｗ／ｗの間の量において存在する、請求項１〜５のいずれか一項に記載の医薬組成物。
【請求項７】
増粘剤が、約０％と約４０％ｗ／ｗの間の量において存在する、請求項２〜６のいずれか一項に記載の医薬組成物。
【請求項８】
増粘剤が、約０％と約２％の間の量において存在し、任意にここで、前記増粘剤が、メチルセルロース（ＭＣ）であり、さらに、任意にここで、ＭＣが、約１％ｗ／ｗにおいて存在する、請求項２〜７のいずれか一項に記載の医薬組成物。
【請求項９】
約３．０と４．７の間のｐＨを有する、請求項１〜８のいずれか一項に記載の医薬組成物。
【請求項１０】
防腐剤（例として、安息香酸ナトリウム）、塩（例として、ＮａＣｌ）、ｐＨ調整剤（例として、ＮａＯＨ）、水、または先述のもののいずれかの組み合わせの少なくとも１つをさらに含む、請求項１〜９のいずれか一項に記載の医薬組成物。
【請求項１１】
治療用オリゴヌクレオチドの少なくとも１つが、ＣＴＧＦ、ＶＥＧＦ、ＭＡＰ４Ｋ４、ＰＤＧＦ−Ｂ、ＳＰＰ１、ＴＧＦＢ１、ＴＧＦＢ２、ＨＩＦ−１α  ｍＴＯＲ、ＰＴＧＳ２（ＣＯＸ−２）、ＰＰＩＢ、ＩＬ−１アルファ、ＩＬ−１ベータ、Ｉｃａｍ−１、Ｔｉｅ１、Ｔｉｅ２、ＡＮＧ２、Ａｎｇ１、ＭＹＣ、ＴＮＦα、ＭＭＰ１、ＴＹＲまたはそれらのいずれかの組み合わせを標的とする、請求項１〜１０のいずれか一項に記載の医薬組成物。
【請求項１２】
治療用オリゴヌクレオチドの少なくとも１つが、長い非コード領域のＲＮＡ（ｌｎｃＲＮＡ）を標的とする、請求項１〜１０のいずれか一項に記載の医薬組成物。
【請求項１３】
治療用オリゴヌクレオチドの少なくとも１つが、ｓｄ−ｒｘＲＮＡである、請求項１〜１２のいずれか一項に記載の医薬組成物。
【請求項１４】
ｓｄ−ｒｘＲＮＡが、
（ａ）ＣＴＧＦを標的とし、および表１に掲げられる配列の少なくとも１２の連続したヌクレオチドを含む；
（ｂ）ＭＭＰ１を標的とし、および表２、３、４、および５に掲げられる配列の少なくとも１２の連続したヌクレオチドを含む；
（ｃ）ＴＹＲを標的とし、および表６、７、８、および９に掲げられる配列の少なくとも１２の連続したヌクレオチドを含む；または
（ｄ）ＭＡＰ４ｋ４を標的とする、
請求項１３に記載の医薬組成物。
【請求項１５】
ｓｄ−ｒｘＲＮＡが、
（ａ）配列番号３５９に掲げられる配列を有するセンス鎖、および配列番号３６０に掲げられる配列を有するアンチセンス鎖；
（ｂ）配列番号５４０に掲げられる配列を有するセンス鎖、および配列番号５６９に掲げられる配列を有するアンチセンス鎖；
（ｃ）配列番号６９６に掲げられる配列を有するセンス鎖、および配列番号７３５に掲げられる配列を有するアンチセンス鎖；
（ｄ）配列番号７３９に掲げられる配列を有するセンス鎖、および配列番号７４０に掲げられる配列を有するアンチセンス鎖；または
（ｅ）配列番号７４１に掲げられる配列を有するセンス鎖、および配列番号７４２に掲げられる配列を有するアンチセンス鎖
を含む、請求項１４に記載の医薬組成物。
【請求項１６】
０．１％ｗ／ｗから１０％ｗ／ｗまでの治療用オリゴヌクレオチドを含む、請求項１〜１５のいずれか一項に記載の医薬組成物。
【請求項１７】
請求項１〜１６のいずれか一項に記載の医薬組成物であって、前記医薬組成物は、治療用オリゴヌクレオチドを対象の真皮へ送達するための方法における使用のためのものであり、前記方法は、前記医薬組成物を対象へ局所的に投与することを含む、前記医薬組成物。
【請求項１８】
請求項１〜１６のいずれか一項に記載の医薬組成物であって、前記医薬組成物は、対象において皮膚障害を処置するための方法における使用のためのものであり、前記方法は、前記医薬組成物の有効量を対象へ局所的に投与することを含む、前記医薬組成物。
【請求項１９】
請求項１〜１６のいずれか一項に記載の医薬組成物を含む、キット。
【請求項２０】
請求項１〜１６のいずれか一項に記載の医薬組成物であって、前記医薬組成物は、対象において審美的外観を改善するための方法における使用のためのものであり、前記方法は、前記医薬組成物の有効量を対象へ局所的に投与することを含む、前記医薬組成物。
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
次の式（Ｉ）で表される化合物：
【化１】
2020517691.tif 000001
式中、
−ＸはＣＨＲ２、Ｏ、又はＯＣＯを表し、
−ＹはＯ又はＣＯＯを表し、
−Ｒ１はＨ又は（ＣＨ２）ｐＣＨ３を表し、
−Ｒ２はフェニル基又はＨを表し、
−ｍ＝12-18、
−ｎ＝0-14、
−ｐ＝12-18、及び
この条件で、ｎ＝０の場合、XはＣＨＲ２を表す。
【請求項２】
下記式（Ｉａ）で表される請求項1に記載の化合物：
【化２】
2020517691.tif 000002
式中、
−ｍ＝12-18、及び
−ｎ＝0-14。
【請求項３】
下記式（Ｉｂ）で表される請求項1に記載の化合物：
【化３】
2020517691.tif 000003
式中、
−ｍ＝12-18、及び
−ｎ＝0-14。
【請求項４】
以下の式（Ｉｃ）で表される、請求項１に記載の化合物：
【化４】
2020517691.tif 000004
式中、
−ＸはＣＨ２又はＯを表し、
−ＹはＯ又はＣＯＯを表し、
−ｍ ＝ 12-18、及び
−ｎ ＝ 1-14。
【請求項５】
以下の化合物から選択される、請求項１から４のいずれか１項に記載の組成物：
【化５】
2020517691.tif 000005
【化６】
2020517691.tif 000006
【化７】
2020517691.tif 000007
【化８】
2020517691.tif 000008
【請求項６】
以下を含む熱変色性化合物であって、以下の式（Ｉ）で表される少なくとも１つの化合物：
（A）少なくとも1つの有機電子供与性色素化合物、
（B）少なくとも1つの電子受容性化合物：
【化９】
2020517691.tif 000009
式中、
−ＸはＣＨＲ２、Ｏ、ＯＣＯ、又はＣＨ＝ＣＨを表し、
−ＹはＯ又はＣＯＯを表し、
−Ｒ１はＨ又は（ＣＨ２）ｐＣＨ３を表し、
−Ｒ２はフェニル基又はＨを表し、
−ｍ＝12-18、
−ｎ＝0-14、
−ｐ＝12-18、及び
この条件で、ｎ＝０の場合、XはＣＨＲ２又はＣＨ＝ＣＨを表す。
【請求項７】
化合物（Ａ）が、3-（4-ジエチルアミノ-2-エトキシフェニル）-3-（1-エチル-2-メチルインドール-3-イル）-4-アザフタリド（ブルー 63、CAS番号：69898-40-4）、2 '-（ジベンジルアミノ）-6'-（ジエチルアミノ）フルオラン（CAS番号：34372-72-0）、N、N-ジメチル-4- [2 -[2-（オクチルオキシ）フェニル] -6-フェニル-4-ピリジニル]ベンゼンアミン（黄CK37、CAS番号：144190-25-0）、7-（4-ジエチルアミノ-2-ヘキシルオキシフェニル）-7-（1 -エチル-2-メチル-1H-インドール-3-イル）-7H-フロ[3,4-b]ピリジン-5-オン（ブルー 203、CAS番号：98660-18-5）、2-（2 、4-ジメチルフェニルアミノ）-3-メチル-6-ジエチルアミノフルオラン（黒15、CAS番号：36431-22-8）、及び3,3-ビス-（1-ブチル-2-メチル-インドール-3-イル） -3H-イソベンゾフラン-1-オン（赤40、CAS番号：50292-91-6）から選択される、請求項６に記載の組成物。
【請求項８】
化合物（Ｂ）が、2,2-ビス（4-ヒドロキシ-3-メチルフェニル）プロパン（ビスフェノールＣ、ＣＡＳ番号：79-97-0）、4-ヘキシル-1,3-ジヒドロキシベンゼン（4-ヘキシルレゾルシノール、CAS番号：136-77-6）、4,4'-シクロヘキシリデンビスフェノール（BPZ、CAS番号：843-55-0）、4 4 '-（ヘキサフルオロイソプロピリデン）ジフェノール（ビスフェノールAF、CAS番号：1478-61-1）、4,4'-（1-フェニルエチリデン）ビスフェノール（CAS番号：1571-75-1）、2,2'- ジヒドロキシビフェニル（CAS番号：1806-29-7）、4,4 '-（1,4-フェニレンジイソプロピリデン）ビスフェノール（CAS番号：2167-51-3）、1,1-ビス（4-ヒドロキシ-3- メチルフェニル）シクロヘキサン（CAS番号: 2362-14-3）、9,9-ビス（4-ヒドロキシフェニル）フルオレン（CAS番号: 3236-71-3）、4,4 '-（1,3-フェニレンジイソプロピリデン） ビスフェノール（CAS番号: 13595-25-0）、1,1,1-トリス（4-ヒドロキシフェニル）エタン（CAS番号: 27955-94-8）、4,4 '-（2-エチルヘキシリデン）ジフェノール（ CAS番号：74462-02-5）、α、α、α'-トリス（4-ヒドロキシフェニル）-1-エチル-4-イソプロピルベンゼン（CAS番号：110726-28-8）から選択される、請求項６又は７に記載の組成物。
【請求項９】
請求項６から８のいずれか一項に記載の組成物を含む、熱変色性顔料マイクロカプセル。
【請求項１０】
請求項９に記載の熱変色性顔料マイクロカプセルを含むインク組成物。
【請求項１１】
請求項１０に記載のインク組成物を含む筆記具。
【請求項１２】
摩擦消去可能なインクを備えたボールペンの中から選択される、請求項１１に記載の筆記具。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
がんの治療に使用するための、
（ｉ）腫瘍溶解性アデノウイルス（ＯｎｃＡｄ）、
（ｉｉ）ＩＬ−１２およびアンタゴニスト抗ＰＤ−Ｌ１抗体をコードする核酸を含むヘルパー依存性アデノウイルス（ＨＤＡｄ）、および
（ｉｉｉ）キメラ抗原受容体（ＣＡＲ）を含む少なくとも１つの細胞であって、ＣＡＲはＨＥＲ２への特異的な結合が可能な抗原結合ドメインを含む、少なくとも１つの細胞
の組合せ。
【請求項２】
がんの治療のために使用される、腫瘍溶解性アデノウイルス（ＯｎｃＡｄ）を含む医薬であって、
治療がさらに
（ｉ）ＩＬ−１２およびアンタゴニスト抗ＰＤ−Ｌ１抗体をコードする核酸を含むヘルパー依存性アデノウイルス（ＨＤＡｄ）、および
（ｉｉ）キメラ抗原受容体（ＣＡＲ）を含む細胞であって、ＣＡＲはＨＥＲ２への特異的な結合が可能な抗原結合ドメインを含む、少なくとも１つの細胞
の投与を含む、前記医薬。
【請求項３】
がんの治療のために使用される、ＩＬ−１２およびアンタゴニスト抗ＰＤ−Ｌ１抗体をコードする核酸を含むヘルパー依存性アデノウイルス（ＨＤＡｄ）を含む医薬であって、
治療がさらに
（ｉ）腫瘍溶解性アデノウイルス（ＯｎｃＡｄ）、および
（ｉｉ）キメラ抗原受容体（ＣＡＲ）を含む細胞であって、ＣＡＲはＨＥＲ２への特異的な結合が可能な抗原結合ドメインを含む、少なくとも１つの細胞
の投与を含む、前記医薬。
【請求項４】
がんの治療のために使用される、ＨＥＲ２への特異的な結合が可能な抗原結合ドメインを含むキメラ抗原受容体（ＣＡＲ）を含む少なくとも１つの細胞を含む医薬であって、
治療がさらに
（ｉ）腫瘍溶解性アデノウイルス（ＯｎｃＡｄ）、および
（ｉｉ）ＩＬ−１２およびアンタゴニスト抗ＰＤ−Ｌ１抗体をコードする核酸を含むヘルパー依存性アデノウイルス（ＨＤＡｄ）
の投与を含む、前記医薬。
【請求項５】
（ｉ）腫瘍溶解性アデノウイルス（ＯｎｃＡｄ）および（ｉｉ）ＩＬ−１２およびアンタゴニスト抗ＰＤ−Ｌ１抗体をコードする核酸を含むヘルパー依存性アデノウイルス（ＨＤＡｄ）を含む、がんの治療のために使用される医薬であって、治療がさらに、ＨＥＲ２への特異的な結合が可能な抗原結合ドメインを含むキメラ抗原受容体（ＣＡＲ）を含む少なくとも１つの細胞を投与することを含む、前記医薬。
【請求項６】
ＩＬ−１２およびアンタゴニスト抗ＰＤ−Ｌ１抗体をコードする核酸を含むヘルパー依存性アデノウイルスが、さらにチミジンキナーゼをコードする核酸を含む、請求項１〜５のいずれか一項に記載の組合せまたは医薬。
【請求項７】
前記腫瘍溶解性ウイルスが、アデノウイルス５（Ａｄ５）に由来する、請求項１〜６のいずれか一項に記載の組合せまたは医薬。
【請求項８】
前記腫瘍溶解性ウイルスが、Ａｄ５によってコードされたＥ１Ａタンパク質と比較して低下したＲｂタンパク質への結合を呈示するＥ１Ａタンパク質をコードする、請求項１〜７のいずれか一項に記載の組合せまたは医薬。
【請求項９】
前記腫瘍溶解性ウイルスが、アミノ酸配列ＬＴＣＨＥＡＣＦ（配列番号５２）が欠失したＥ１Ａタンパク質をコードする、請求項１〜８のいずれか一項に記載の組合せまたは医薬。
【請求項１０】
前記腫瘍溶解性ウイルスが、アミノ酸配列の配列番号３４を含むか、またはそれからなるＥ１Ａタンパク質をコードする、請求項１〜９のいずれか一項に記載の組合せまたは医薬。
【請求項１１】
前記腫瘍溶解性ウイルスが、配列番号５５またはコドン縮重の結果としての等価な配列に少なくとも６０％の配列同一性を有する核酸配列を含む、請求項１〜１０のいずれか一項に記載の組合せまたは医薬。
【請求項１２】
前記ＣＡＲを含む少なくとも１つの細胞が、Ｔ細胞である、請求項１〜１１のいずれか一項に記載の組合せまたは医薬。
【請求項１３】
前記ＣＡＲが、
ＬＣ−ＣＲＤ１：配列番号１０；
ＬＣ−ＣＲＤ２：配列番号１１；
ＬＣ−ＣＲＤ３：配列番号１２を含むＶＬドメイン；
および
ＨＣ−ＣＲＤ１：配列番号１３；
ＨＣ−ＣＲＤ２：配列番号１４；
ＨＣ−ＣＲＤ３：配列番号１５を含むＶＨドメイン；
または
ＬＣ−ＣＲＤ１：配列番号１８；
ＬＣ−ＣＲＤ２：配列番号１９；
ＬＣ−ＣＲＤ３：配列番号２０を含むＶＬドメイン；
および
ＨＣ−ＣＲＤ１：配列番号２１；
ＨＣ−ＣＲＤ２：配列番号２２；
ＨＣ−ＣＲＤ３：配列番号２３を含むＶＨドメイン；
または
ＬＣ−ＣＲＤ１：配列番号２６；
ＬＣ−ＣＲＤ２：配列番号２７；
ＬＣ−ＣＲＤ３：配列番号２８を含むＶＬドメイン；
および
ＨＣ−ＣＲＤ１：配列番号２９；
ＨＣ−ＣＲＤ２：配列番号３０；
ＨＣ−ＣＲＤ３：配列番号３１を含むＶＨドメイン；
または
ＬＣ−ＣＲＤ１：配列番号５７；
ＬＣ−ＣＲＤ２：配列番号５８；
ＬＣ−ＣＲＤ３：配列番号５９を含むＶＬドメイン；
および
ＨＣ−ＣＲＤ１：配列番号６０；
ＨＣ−ＣＲＤ２：配列番号６１；
ＨＣ−ＣＲＤ３：配列番号６２を含むＶＨドメイン
を含む抗原結合ドメインを含む、請求項１〜１２のいずれか一項に記載の組合せまたは医薬。
【請求項１４】
前記ＣＡＲが、
配列番号１６に少なくとも７５％の配列同一性を有するアミノ酸配列を含むか、またはそれからなるＶＬ、および配列番号１７に少なくとも７５％の配列同一性を有するアミノ酸配列を含むか、またはそれからなるＶＨ；
または
配列番号２４に少なくとも７５％の配列同一性を有するアミノ酸配列を含むか、またはそれからなるＶＬ、および配列番号２５に少なくとも７５％の配列同一性を有するアミノ酸配列を含むか、またはそれからなるＶＨ；
または
配列番号３２に少なくとも７５％の配列同一性を有するアミノ酸配列を含むか、またはそれからなるＶＬ、および配列番号３３に少なくとも７５％の配列同一性を有するアミノ酸配列を含むか、またはそれからなるＶＨ；
または
配列番号６３に少なくとも７５％の配列同一性を有するアミノ酸配列を含むか、またはそれからなるＶＬ、および配列番号６４に少なくとも７５％の配列同一性を有するアミノ酸配列を含むか、またはそれからなるＶＨ
を含む抗原結合ドメインを含む、請求項１〜１３のいずれか一項に記載の組合せまたは医薬。
【請求項１５】
チミジンキナーゼが、ＨＳＶ−１チミジンキナーゼである、請求項６〜１４のいずれか一項に記載の組合せまたは医薬。
【請求項１６】
前記がんの治療が、
（ａ）対象から少なくとも１つの細胞を単離すること；
（ｂ）がん細胞抗原に特異的なＣＡＲ、またはがん細胞抗原に特異的なＣＡＲをコードする核酸を発現するかまたは含むように、該少なくとも１つの細胞を改変すること、
（ｃ）任意選択で、改変された少なくとも１つの細胞を拡大すること、および；
（ｄ）該改変された少なくとも１つの細胞を対象に投与すること
を含む、請求項１〜１５のいずれか一項に記載の組合せまたは医薬。
【請求項１７】
前記がんが、頭頸部がん、上咽頭癌（ＮＰＣ）、子宮頸癌（ＣＣ）、中咽頭癌（ＯＰＣ）、胃癌（ＧＣ）、肝細胞癌（ＨＣＣ）および肺がんから選択される、請求項１〜１６のいずれか一項に記載の組合せまたは医薬。
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
慢性炎症性脱髄性多発神経炎（ＣＩＤＰ）の治療における使用のための免疫グロブリン製品であって、５〜１０日当たり、０．１〜０．４ｇ／ｋｇ患者体重の範囲から選択される固定用量で投与するための前記免疫グロブリン製品。
【請求項２】
免疫グロブリン製品は、６〜８日当たりに投与されるものである、請求項１に記載の使用のための免疫グロブリン製品。
【請求項３】
免疫グロブリン製品は、１週間当たりに投与されるものである、請求項１に記載の使用のための免疫グロブリン製品。
【請求項４】
免疫グロブリン製品は、０．１〜０．３ｇ／ｋｇ患者体重の範囲から選択される固定用量で投与されるものである、請求項１〜３のいずれか１項に記載の使用のための免疫グロブリン製品。
【請求項５】
免疫グロブリン製品は、０．１５〜０．２５ｇ／ｋｇ患者体重の範囲から選択される固定用量で投与されるものである、請求項１〜３のいずれか１項に記載の使用のための免疫グロブリン製品。
【請求項６】
免疫グロブリン製品は、０．１８〜０．２２ｇ／ｋｇ患者体重の範囲から選択される固定用量で投与されるものである、請求項１〜３のいずれか１項に記載の使用のための免疫グロブリン製品。
【請求項７】
免疫グロブリン製品は、０．２ｇ／ｋｇ患者体重の固定用量で投与されるものである、請求項１〜３のいずれか１項に記載の使用のための免疫グロブリン製品。
【請求項８】
免疫グロブリン製品は、１週間当たり、０．２ｇ／ｋｇ患者体重の固定用量で投与されるものである、請求項１〜３のいずれか１項に記載の使用のための免疫グロブリン製品。
【請求項９】
免疫グロブリン製品は、皮下投与されるものである、請求項１〜８のいずれか１項に記
載の使用のための免疫グロブリン製品。
【請求項１０】
免疫グロブリン製品の固定用量は、１〜７日の経過にわたって投与されるものである、請求項１〜９のいずれか１項に記載の使用のための免疫グロブリン製品。
【請求項１１】
免疫グロブリン製品の用量は、１日の経過にわたって投与されるものである、請求項１０に記載の使用のための免疫グロブリン製品。
【請求項１２】
治療は、少なくとも３ヵ月間行われ、好ましくは、治療は、少なくとも６ヵ月間行われる、請求項１〜１１のいずれか１項に記載の使用のための免疫グロブリン製品。
【請求項１３】
治療によって、ＩＮＣＡＴスコア、Ｒ−ＯＤＳスコア、平均握力、ＭＲＣ合計スコア、および電気生理学的パラメータのうちの１つまたはそれ以上は、プラセボ治療に対して、少なくとも２０％、好ましくは、少なくとも５０％改善する結果となる、請求項１〜１２のいずれか１項に記載の使用のための免疫グロブリン製品。
【請求項１４】
免疫グロブリン製品は、すぐに使用できる液体製品であり、かつ／または免疫グロブリン製品は、投与前に液体形態に再構成する必要がない、請求項１〜１３のいずれか１項に記載の使用のための免疫グロブリン製品。
【請求項１５】
免疫グロブリン製品は、最高温度２５℃で保存する場合、液体形態で、少なくとも１２ヵ月間、好ましくは、少なくとも２４ヵ月間の貯蔵安定性を示す、請求項１〜１４のいずれか１項に記載の使用のための免疫グロブリン製品。
【請求項１６】
患者は、免疫グロブリン製品を自己投与する、請求項１〜１５のいずれか１項に記載の使用のための免疫グロブリン製品。
【請求項１７】
免疫グロブリン製品は、凍結乾燥製品である、請求項１〜１３のいずれか１項に記載の使用のための免疫グロブリン製品。
【請求項１８】
免疫グロブリン製品の免疫グロブリン濃度は１０〜３０％である、請求項１〜１７のいずれか１項に記載の使用のための免疫グロブリン製品。
【請求項１９】
免疫グロブリン製品の免疫グロブリン濃度は２０％である、請求項１８に記載の使用のための免疫グロブリン製品。
【請求項２０】
免疫グロブリン製品の免疫グロブリンサブクラス分布は、ＩｇＧ１が６２〜７４％、ＩｇＧ２が２２〜３４％、ＩｇＧ３が２〜５％、およびＩｇＧ４が１〜３％である、請求項１〜１９のいずれか１項に記載の使用のための免疫グロブリン製品。
【請求項２１】
ＩｇＡ濃度は、免疫グロブリン１００ｍｇ当たり５０μｇ以下である、請求項１〜２０のいずれか１項に記載の使用のための免疫グロブリン製品。
【請求項２２】
ＩｇＡ濃度は、免疫グロブリン１００ｍｇ当たり２５μｇ以下である、請求項２１に記載の使用のための免疫グロブリン製品。
【請求項２３】
免疫グロブリン製品は安定剤を含む、請求項１〜２２のいずれか１項に記載の使用のための免疫グロブリン製品。
【請求項２４】
安定剤はアミノ酸であり、好ましくは、安定剤はプロリンである、請求項２３に記載の
使用のための免疫グロブリン製品。
【請求項２５】
免疫グロブリン製品は、ヒト血漿またはヒト血漿濃縮物から得られる、請求項１〜２４のいずれか１項に記載の使用のための免疫グロブリン製品。
【請求項２６】
慢性炎症性脱髄性多発神経炎（ＣＩＤＰ）の治療における使用のための免疫グロブリン製品であって、週毎の総用量が、０．１〜０．４ｇ／ｋｇ患者体重の範囲から選択される用量で維持されることを条件とする、柔軟な投与レジメンで投与するための前記免疫グロブリン製品。
【請求項２７】
週毎の総用量は、０．１〜０．３ｇ／ｋｇ患者体重の範囲から選択される、請求項２６に記載の使用のための免疫グロブリン製品。
【請求項２８】
週毎の総用量は、０．１５〜０．２５ｇ／ｋｇ患者体重の範囲から選択される、請求項２６に記載の使用のための免疫グロブリン製品。
【請求項２９】
週毎の総用量は、０．１８〜０．２２ｇ／ｋｇ患者体重の範囲から選択される、請求項２６〜２８のいずれか１項に記載の使用のための免疫グロブリン製品。
【請求項３０】
週毎の総用量は、０．２ｇ／ｋｇ患者体重である、請求項２６〜２８のいずれか１項に記載の使用のための免疫グロブリン製品。
【請求項３１】
免疫グロブリン製品は、隔週投与されるものであり、投与される用量は、週毎の総用量に２を乗じたものである、請求項２６〜３０のいずれか１項に記載の使用のための免疫グロブリン製品。
【請求項３２】
免疫グロブリン製品は、３週毎に投与されるものであり、投与される用量は、週毎の総用量に３を乗じたものである、請求項２６〜３０のいずれか１項に記載の使用のための免疫グロブリン製品。
【請求項３３】
免疫グロブリン製品は、１週間に２回投与されるものであり、投与される用量は、週毎の総用量を２で除したものである、請求項２６〜３０のいずれか１項に記載の使用のための免疫グロブリン製品。
【請求項３４】
免疫グロブリン製品は、１週間当たり２〜７回投与されるものであり、週毎の総用量は維持される、請求項２６〜３０のいずれか１項に記載の使用のための免疫グロブリン製品。